(57)【要約】【課題】電源投入時にエリア周波数の圏内判定に要する時間を短縮することを可能とし、更に事前にエリア周波数を知ることで確実に強電界のセルに位置登録を可能とする。【解決手段】複数の周波数帯を持つＷ−ＣＤＭＡ方式の無線通信システムで使用される移動体端末であって、前記複数の周波数帯に対応する複数の無線機能部と、前複数の無線機能部のそれぞれで受信される信号と、前記複数の周波数帯の各々の同期チャンネルの主サーチコードとの相関値を求める回路と、前記相関値を求める回路の出力を積分する積分回路と、前記積分回路の出力におけるピーク値を検知し、前記複数の周波数帯間で、前記検知されたピーク値を比較するピーク値検知回路とを有し、前記ピーク値検知回路において、検知ピーク値の最も大きい周波数を中心周波数として、当該周波数帯をエリア周波数帯とする。【選択図】図３
2005244763.tif 000002
【特許請求の範囲】
【請求項１】
複数の周波数帯を持つＷ−ＣＤＭＡ方式の無線通信システムで使用される移動体端末であって、
前記複数の周波数帯に対応する複数の無線機能部と、
前複数の無線機能部のそれぞれで受信される信号と、前記複数の周波数帯の各々の同期チャンネルの主サーチコードとの相関値を求める回路と、
前記相関値を求める回路の出力を積分する積分回路と、
前記積分回路の出力におけるピーク値を検知し、前記複数の周波数帯間で、前記検知されたピーク値を比較するピーク値検知回路とを有し、
前記ピーク値検知回路において、検知ピーク値の最も大きい周波数を中心周波数として、当該周波数帯をエリア周波数帯とする
ことを特徴とする移動体端末。
【請求項２】
請求項１において、
前記複数の無線機能部の出力を複数のスロットを有するフレーム毎に切替えて前記相関値を求める回路に入力することを特徴とする移動体端末。
【請求項３】
請求項１において、
更に多重器を有し、
前記複数の無線機能部の出力を前記多重器に入力し、複数のスロットを有するフレームのスロット毎に、前記複数の無線機能部の出力を交互に選択多重することを特徴とする移動体端末。
【請求項４】
複数の周波数帯を持つＷ−ＣＤＭＡ方式の無線通信システムで使用される移動体端末であって、
前記複数の周波数帯に対応する複数の無線機能部と、
前記複数の無線機能部を順次に切替えて対応する周波数帯域のＩＱ直交信号を出力する様に切替えるスイッチと
同期チャンネルの主サーチコードと前記ＩＱ直交信号との相関電力値をスロット周期でオーバサンプリング毎に算出するマッチトフィルタと、
所定の積分時間で前記算出された相関電力値を積分する積分回路と、
前記積分回路の出力について、ピークポイントを抽出してソーティング処理を行い、相  関電力値の上位パス検出を行う手段と、
前記検出された上位パスについて、先に保持されたピーク相関電力値を比較してエリア周波数を決定する手段を
有することを特徴とする移動体端末。
【請求項５】
拡散符号により拡散されたパイロット信号のうち、受信状況が基準を満たすパイロット信号の検出を行う際に、少なくとも拡散符号で拡散された複数種類の同期信号との相関を順に検出することで該パイロット信号を逆拡散するタイミングを取得することが要求される移動局において、
前記パイロット信号と該パイロット信号に対応する前記複数種類の同期信号の組が、第１周波数、第２周波数のそれぞれで送信されている場合に、
該第１周波数における前記複数種類の同期信号の何れかの同期信号についての相関と、該第２周波数における対応する同期信号についての相関とを検出する検出手段と、
高い相関の得られている側の周波数又は該第１周波数、該第２周波数を含めた同期信号のうち相関の高いものを抽出し、該相関の高い同期信号について先に前記タイミングを取得して、パイロット信号の逆拡散を行い、基準を満たす場合に、該パイロット信号に対応する待ち受けセル又は移行先セルとして選択する選択手段を
備えたことを特徴とする移動局。
【発明の詳細な説明】
【技術分野】
【０００１】
本発明は、Ｗ−ＣＤＭＡ（Wideband Code Division Multiple Access）方式の規格である３ＧＰＰ（3rd Generation Partnership Project）に従う移動体通信システムにおける移動局：Mobile station あるいはユーザ端末:User equipment（以下、移動体端末という）に関する。
【背景技術】
【０００２】
移動体通信システムにおいては、基地局と移動体端末間で無線リンクを接続することが必要である。複数の基地局からの送信用周波数として所定の周波数帯域を構成する複数の異なる周波数が用いられる。基地局は、これらの複数の周波数から選択された周波数上で有効波を送信する。
【０００３】
電源投入時、あるいは、圏外エリアに移動して位置する場合、複数の周波数のどこに有効波が存在するか即ち、基地局と移動体端末間で無線リンクを接続するために、移動体端末は無線リンクを接続するべきセルを探すセルサーチを行う。
【０００４】
かかるセルサーチのため基地局から送信されるフレームの構成が図１に示される。図１において、１無線フレーム(radio frame)は１０m sec,１５スロット（slot #0〜#14）から構成される。それぞれの基地局から各スロットの先頭位置に一定周期で256チップ/シンボルの長さで、二種類の同期チャネル（Primary SCHとSecondary SCH）を有する共通物理チャネル（Synchronization Channel:ＳＣＨ）が１シンボル分送信される。
【０００５】
このようなフレーム構成を用いて、Ｗ−ＣＤＭＡ方式におけるセルサーチは、次の３段階で動作されることが知られている（非特許文献１）。
【０００６】
第１段階＝ＰＳＣ：主サーチコード（Primary Search Code）の検出
第２段階＝ＳＣＣ：副サーチコード（Secondary Search Code）の検出
第３段階＝ＳＣ：スクランブルコード（Scrambling Code）の検出
すなわち、第１段階（＝ＰＳＣ）においてPrimary SCHのシステム共通コードＡＣpを用いて受信タイミング検出を行い、第２段階（＝ＳＣＣ）ではSecondary SCHの１６種類のコードを用いて各スロットに一定に配列されているスクランブルコードグループ番号（１〜６４）を同定して、スクランブリングコードの受信タイミングを検出する。
【０００７】
次いで、第３段階（＝ＳＣ）では既知のパイロットパターン１５kbpsが送信されている共通パイロットチャネル（CPICH）においてスクランブリングコード番号を検出する。
【０００８】
上記のプロセスを周波数分切替えて実行し、何れの周波数を用いているセルの電波が一番強いかを判定して、位置登録を行っている。
【０００９】
かかるバンドサーチ処理に関する発明として、これまでに種々の提案がされている。例えば、全帯域から最大受信電力の帯域を選択し、その後コード同定によるセルサーチを行う方式であって、帯域の判定を受信信号コードのパワー（ＲＳＳＩ）で行う発明が示されている（特許文献１）。
【００１０】
また、別の発明として、周波数帯域を複数のグループに分割し、代表周波数の受信電力からグループを選択し、その後各周波数の受信電力を求めることにより、エリア周波数を決定することが示されている（特許文献２）。
【非特許文献１】「Ｗ−ＣＤＭＡ移動通信方式」立川啓二監修、丸善株式会社発行、Ｐ３５〜３７
【特許文献１】特開２００３−３４８６４８号公報
【特許文献２】特開２００３−２４４０８３号公報
【発明の開示】
【発明が解決しようとする課題】
【００１１】
ここで、Ｗ−ＣＤＭＡ方式の無線通信システムにおいて、加入者増加によるシステム容量飽和等の問題が生じている。かかる問題を解決するために、標準の周波数帯域（例えば２ＧＨｚ帯）と大きく異なる周波数帯（例えば、８００ＭＨｚ帯）をエリアのサービスとして提供する場合がある。
【００１２】
この場合は、Ｗ−ＣＤＭＡ方式の移動体端末としての携帯電話端末において、２つの大きく異なる送受信周波数に対応するため無線アナログ部に２種類の無線機能部を搭載する必要がある。
【００１３】
この際、標準と思われる周波数帯に対応する無線機能部において、最初に一通りセル検出を行い、当該周波数帯にセルが無いと判定されると、その後に他方の無線機能部を動作させて、セル検出を行うことになる。
【００１４】
そのために、エリア周波数の異なる場所で初めて端末の電源を投入する場合、圏内と判定するのに相当の時間を要することになる。また標準と思われる周波数帯が、他方の周波数帯よりもかなり電界強度が低い場合であっても、位置登録するための最低電界より上の値であれば、低い電界に対して位置登録をしてしまい、電波状態の変化によってすぐに圏外状態に移行するという問題があった。
【００１５】
上記の非特許文献１、特許文献1及び２のいずれにおいても、かかるシステム容量飽和に対応するべく、異なる周波数帯を用いる場合のセルサーチにおける問題について言及は無く、従ってかかる問題を解決することは何ら示唆されていない。
【００１６】
したがって、かかる点に鑑みて本発明の目的は、Ｗ−ＣＤＭＡ方式の無線通信システムで使用される２つ以上の周波数帯に対応して、２以上の無線機能部を移動体端末に供え、電源投入時にエリア周波数の圏内判定に要する時間を短縮することを可能とし、更に事前にエリア周波数を知ることで確実に強電界のセルに位置登録ができるようにすることにある。
【課題を解決するための手段】
【００１７】
上記の本発明の目的を達成する移動体端末は、その第１の態様として、複数の周波数帯を持つＷ−ＣＤＭＡ方式の無線通信システムで使用される移動体端末であって、前記複数の周波数帯に対応する複数の無線機能部と、前複数の無線機能部のそれぞれで受信される信号と、前記複数の周波数帯の各々の同期チャンネルの主サーチコードとの相関値を求める回路と、前記相関値を求める回路の出力を積分する積分回路と、前記積分回路の出力におけるピーク値を検知し、前記複数の周波数帯間で、前記検知されたピーク値を比較するピーク値検知回路とを有し、前記ピーク値検知回路において、検知ピーク値の最も大きい周波数を中心周波数として、当該周波数帯をエリア周波数帯とすることを特徴とする。
【００１８】
上記の本発明の目的を達成する移動体端末は、その第２の態様として、前記第１の態様において、前記複数の無線機能部の出力を複数のスロットを有するフレーム毎に切替えて前記相関値を求める回路に入力することを特徴とする。
【００１９】
上記の本発明の目的を達成する移動体端末は、その第３の態様として、前記第１の態様において、更に多重器を有し、前記複数の無線機能部の出力を前記多重器に入力し、複数のスロットを有するフレームのスロット毎に、前記複数の無線機能部の出力を交互に選択多重することを特徴とする。
【００２０】
また、上記の本発明の目的を達成する移動体端末は、その第４の態様として、前記第１の態様において、更に多重器を有し、前記複数の無線機能部の出力を複数のスロットを有するフレームのスロット毎に交互に選択して、前記多重器に入力し、前記複数の無線機能部の出力を交互に多重することを特徴とする。
【００２１】
上記の本発明の目的を達成する移動体端末は、その第５の態様として、複数の周波数帯を持つＷ−ＣＤＭＡ方式の無線通信システムで使用される移動体端末であって、前記複数の周波数帯に対応する複数の無線機能部と、前記複数の無線機能部を順次に切替えて対応する周波数帯域のＩＱ直交信号を出力する様に切替えるスイッチと、同期チャンネルの主サーチコードと前記ＩＱ直交信号との相関電力値をスロット周期でオーバサンプリング毎に算出するマッチトフィルタと、所定の積分時間で前記算出された相関電力値を積分する積分回路と、前記積分回路の出力について、ピークポイントを抽出してソーティング処理を行い、相関電力値の上位パス検出を行う手段と、前記検出された上位パスについて、先に保持されたピーク相関電力値を比較してエリア周波数を決定する手段を有することを特徴とする。
【００２２】
さらにまた、上記の本発明の目的を達成する移動体端末は、その第６の態様として、複数の周波数帯を持つＷ−ＣＤＭＡ方式の無線通信システムで使用される移動体端末であって、前記複数の周波数帯に対応し、それぞれ対応する周波数帯の入力される信号から直交信号を出力する複数の無線機能部と、前記複数の周波数帯に対応して前記複数の無線機能部を切替えるスイッチと、前記複数の無線機能部からの直交信号をデジタルＩＱ信号に変換するＡ／Ｄ変換器と、前記Ａ／Ｄ変換器からのデジタルＩＱ信号を交互に時分割多重する多重器と、前記多重器の出力と主サーチコードとの相関電力を複数のスロットを有するフレームのスロット周期でオーバサンプリング毎に算出するマッチトフィルタと、前記マッチトフィルタ出力をＩＱ信号毎に積分して相関電力値を出力する電力化回路と、前記電力化回路の出力について、ピークポイントを抽出してソーティング処理を行い、相関電力値の上位パス検出を行う回路と、前記検出された上位パスについて、メモリに格納されたピーク相関電力値を比較してエリア周波数を決定する手段を有することを特徴とする。
【００２３】
さらに、上記の本発明の目的を達成する移動体端末は、第７の態様として、拡散符号により拡散されたパイロット信号のうち、受信状況が基準を満たすパイロット信号の検出を行う際に、少なくとも拡散符号で拡散された複数種類の同期信号との相関を順に検出することで該パイロット信号を逆拡散するタイミングを取得することが要求される移動局において、前記パイロット信号と該パイロット信号に対応する前記複数種類の同期信号の組が、第１周波数、第２周波数のそれぞれで送信されている場合に、該第１周波数における前記複数種類の同期信号の何れかの同期信号についての相関と、該第２周波数における対応する同期信号についての相関とを検出する検出手段と、高い相関の得られている側の周波数又は該第１周波数、該第２周波数を含めた同期信号のうち相関の高いものを抽出し、該相関の高い同期信号について先に前記タイミングを取得して、パイロット疎信号の逆拡散を行い、基準を満たす場合に、該パイロット信号に対応する待ち受けセル又は移行先セルとして選択する選択手段を備えたことを特徴とする。
【００２４】
本発明の特徴は、以下に図面に従い説明される実施の形態例から更に明らかになる。
【発明の効果】
【００２５】
本発明により、Ｗ−ＣＤＭＡ方式の無線通信システムにおいて使用される２つ以上の周波数帯に対応して、２つ以上の無線機能部を有して構成される移動体端末において、電源投入時に何れの周波数が存在するかの圏内判定を短時間に行うことができ、且つ事前にエリア周波数を知ることにより確実に強電界のセルに位置登録を可能とする。
【００２６】
多重化によりその場の電波状態をリアルタイムに短時間に検出でき、かつ、PSC検出時の無線機は1台の動作ですむ。
【発明を実施するための最良の形態】
【００２７】
以下に、図面に従い本発明の実施の形態例を説明する。なお、図に示される実施の形態例は、本発明の理解のために示されるものであって、本発明の技術的範囲はこれらに限定されるものではない。
【００２８】
［第１の実施例］
図２は、本発明に従う移動体端末（移動局：Mobile station あるいはユーザ端末:User equipment）の特徴部分を示す第１の実施例構成ブロック図である。図３は、図２の実施例に対応する動作フローである。
【００２９】
実施例として、Ｗ−ＣＤＭＡ方式の無線通信システムにおいて、２つの周波数帯域が使用される場合を想定する。これに対応して２つの無線機能部１，２を有している。後に説明される他の実施例においても同様である。ただし、本発明はかかる２つの周波数帯域を用いる通信システムの場合に適用が限定されるものではない。
【００３０】
図２において、アンテナスイッチ４をスイッチ制御部５により切替え制御して、アンテナ３に受信される信号を第１の無線機能部１あるいは、第２の無線機能部２に入力する。すなわち、図３のフローを参照すると、スイッチ制御部５により受信周波数を決定する処理を行う（ステップＳ１）。
【００３１】
ここで、第１の無線機能部１の受信する帯域ＦＲ１（＝Ｆ3k+m）、第２の無線機能部２の受信する帯域ＦＲ２（＝Ｆ3k+n）とし、初期値をｋ＝０、ｍ＝１、ｎ＝１とし（ステップＳ２）、受信周波数を設定する（ステップＳ３）。上記ｋは、０、１，２・・・と順次に歩進される値である。さらに、ｍ、ｎは、１乃至３で歩進循環する値である。
【００３２】
上記（３ｋ＋ｍ）及び（３ｋ＋ｎ）の意味は、２つの周波数帯域の各々において、３つの周波数グループを選択することを意味し、ｍ、ｎはしたがって、１，２，３までの値をとる。
【００３３】
今、ステップＳ２において、上記ｍ＝１、ｎ＝１を初期値としているので、３つの周波数グループに内、第１のグループが受信周波数として設定される。次いで、アンテナスイッチ４により、周波数帯域ＦＲ１を受信する無線機能部１に設定され（ステップＳ４）、無線機能部１による受信が開始される（ステップＳ５）。
【００３４】
これにより、無線機能部１によって、受信される周波数帯域ＦＲ１の１フレーム分のＰＤＣ検出を行う（ステップＳ６）。かかるＰＳＣ検出動作（ステップＳ６）の詳細は、次のようである。
【００３５】
アンテナスイッチ４から入力される信号を第１の無線機能部１においてＩｃｈ、Ｑｃｈのアナログ直交信号に復調し、それぞれを更にＡ／Ｄ変換器６によりデジタルＩ、Ｑ信号に変換する。
【００３６】
この様子が、図４に示される。１スロット０．６７ｍｓの周期のクロックＣＬＫ１に同期して１５スロット分の第１の周波数帯（ＲＦ１）の受信信号ＲｘＩ（＝RxI0, RxI1, RxI2, RxI4,・・・RxI14）が得られる（図４Ａ）。Ｑｃｈの受信信号についても同様である。
【００３７】
第１の周波数帯（ＲＦ１）の第１の周波数グループ（ｍ＝１）の受信信号は、次いで、Ａ／Ｄ変換器６から出力され、１６×１６タップのマッチトフィルタ(Matched Filter)７に入力され、予め登録されているＰＳＣ（Primary Search Code）との相関値がスロット周期でオーバサンプリング毎に算出される。
【００３８】
次いで、求められた相関値は回路８で対応する電力値又は電圧値に変換される。図２に示す実施例では回路８は電力値に変換するための電力化回路の例を示す。電力化回路８の出力は、ＲＡＭ１２にアドレス制御回路１３により所定アドレス位置にワード単位で格納される。ここで、相関電力値の信頼性を向上させるために所定のスロット分、実施例として15スロット分を積分する。この積分を行うために、図２において、ＲＡＭ１２の出力が加算回路１１に帰還され、先のスロットと新たなスロットの電力値が積分され、ＲＡＭ１２に格納される。
【００３９】
かかる電力値の積分は、下記式１の様に求められる。
【００４０】
電力加算：
【００４１】
【数１】
2005244763.tif 000003
【００４２】
また、回路８を電圧化回路とする場合は、電圧値の積分は、下記２式の様に求められる。
【００４３】
電圧加算：
【００４４】
【数２】
2005244763.tif 000004
【００４５】
なお、上記下記式１、式２による電力値の積分及び電圧値の積分は、後に説明される他の実施例においても同様である。
【００４６】
ここで、乗算器１０は、第１、第２の無線機能部１，２における非線形歪を補正する機能回路である。すなわち、第１、第２の無線機能部１，２にはＡＧＣアンプが含まれ、周波数毎に特性が異なり、非線形性を呈することになる。したがって、ＡＧＣテーブル９にアナログ変換テーブルを設け、周波数毎に特性が異なる補正値を乗算器１０に入力して電力化回路８の出力に含まれる非線形成分を補正することが可能である。
【００４７】
図３の動作フローに戻ると、先にＲＡＭ１２に格納積分された相関電力は、ピークトップ検出回路１４に導かれる。ピークトップ検出回路１４では、ピークポイントを抽出してピーク相関電力値及び時刻を求め（ステップＳ７）、第１の無線機能部１に対するＰＳＣ検出のハードウエア処理を停止する（ステップＳ８）。
【００４８】
ピークトップ検出回路１４は、更に先に得られたピーク相関電力値及び時刻に基づいて、ピークをソートして、ピークの大きい上位パスを選出する。
【００４９】
かかる処理の後に、アンテナスイッチ４が切替えられ、第２の無線機能部２に受信信号が入力される様に設定される（ステップＳ１０）。したがって、以降上記ステップＳ５〜Ｓ９までの第１の無線機能部１に関する処理に対応して、第２の周波数帯について同様の処理が第２の無線機能部１に関する処理としてステップＳ１１〜１５まで実行される。
【００５０】
ステップＳ１２においては、図４に示されるように、１スロット０．６７ｍｓの周期のクロックＣＬＫ１に同期して１５スロット分の第２の周波数帯（ＲＦ２）のＩｃｈの受信信号ＲｘＩ（＝RxI0, RxI1, RxI2, RxI4,・・・RxI14）（図４Ｂ）が、第１の周波数帯（ＲＦ１）の受信信号ＲｘＩ（図４Ａ）に引き続くように得られる。Ｑｃｈの受信信号についても同様である。
【００５１】
ここで、第２の周波数帯（ＲＦ２）における電力値の積分は、下記式３の様に求められる。
【００５２】
【数３】
2005244763.tif 000005
【００５３】
また、回路８を電圧化回路とする場合は、電圧値の積分は、下記２式の様に求められる。
【００５４】
電圧加算：
【００５５】
【数４】
2005244763.tif 000006
【００５６】
なお、上記下記式３、式４による電力値の積分及び電圧値の積分は、後に説明される他の実施例においても同様である。
【００５７】
上記ステップＳ４〜Ｓ１５までの処理が第１の周波数グループについて完了すると、ｍ及びｎを各々１づつ歩進し（ステップＳ１７）、新たな周波数グループが受信周波数として設定される（ステップＳ３）。したがって、上記処理が３つ目の周波数グループ（ｍ＝３，ｎ＝３）になるまで繰り返される（ステップＳ１６、Ｎｏ）。
【００５８】
次いで、電力閾値の判定が行われる（ステップＳ１８）。電力閾値の判定は、第１及び第２の周波数帯のいずれにおいても、ステップＳ９、Ｓ１５において検知される全てのトップ値が、所定の閾値以下である場合（ステップＳ１８、Ｙｅｓ）、ｋの値を１つ歩進し、ｍ及びｎを１に戻し（ステップＳ１９）、上記ステップＳ３からＳ１５の処理を行うように制御される。
【００５９】
ステップＳ１８において閾値以上のピーク値が検知されている場合（ステップＳ１８、Ｎｏ）、周波数帯を決定するために閾値以上の各周波数帯のピーク相関電力値を比較する（ステップＳ２０）。ついで、エリア周波数帯及びその中心周波数を決定する（ステップＳ２１）。決定されたエリア周波数帯に対応して、アンテナスイッチ４を第１の無線機能部１又は、第２の無線機能部２に切替を行い（ステップＳ２２）、移動体端末と該当の基地局との通信が可能となる。
【００６０】
特に、上記第１の実施例構成では、無線機能部１，２はＰＳＣ検出時は、一方の動作のみでよく簡単な構成制御で実現できる。
【００６１】
［第２の実施例］
図５は、本発明に従う移動体端末の特徴部分を示す第２の実施例構成ブロック図である。図６は、図５の実施例に対応する動作フローである。
【００６２】
先に説明されたように、Ｗ−ＣＤＭＡ方式の無線通信システムにおいて２つの周波数帯域が使用される場合を想定する。これに対応して２つの無線機能部１，２を有している。この実施例においても、本発明はかかる２つの周波数帯域を用いる通信システムの場合に適用が限定されるものではない。
【００６３】
図２に示す第１の実施例構成と同一又は類似機能を有する部位には同じ参照番号を付している。したがって、その限りにおいて、図２と同様になる説明は省略又は簡単化して説明を行う。
【００６４】
図５に示す実施例の特徴は、図２の第１の実施例と比較すると、Ａ／Ｄ変換器６が、第１及び第２のＡ／Ｄ変換器６１，６２に分かれていること、更に第１及び第２のＡ／Ｄ変換器６１，６２の後段に多重器６３を備えていることにある。
【００６５】
かかる相違に対応して、図６に示す動作フローも異なっている。図６において、図３に示す第１の実施例の動作フローにおける処理と同様の工程については同じステップ番号を付して説明する。以下に第２の実施例の動作を説明する。
【００６６】
図５に示す実施例ではスイッチ制御部５によりアンテナスイッチ４が常時開放され（ステップＳ１００）、アンテナ３に受信される信号は、第１、第２の無線機能部１，２に並列の入力される。
【００６７】
スイッチ制御部５は、第１、第２の無線機能部１，２における受信周波数を決定する（ステップＳ１）。ここでの受信周波数を決定の方法は、先に図３のフローにおいて説明した方法と同じである。
【００６８】
すなわち、第１の無線機能部１の受信周波数をＦＲＱ１（＝Ｆ3k+m）、第２の無線機能部２の受信する帯域ＦＲＱ２（＝Ｆ3k+n）とし、初期値をｋ＝０、ｍ＝１、ｎ＝１とし（ステップＳ２）、受信周波数を設定する（ステップＳ３）。上記ｋは、０、１，２・・・と順次に歩進される値である。ここで、ｋ，ｍ，ｎの意味は、先に説明したと同様である。
【００６９】
第１の無線機能部１及び第２の無線機能部２の各々において、第１の周波数帯及び第２の周波数帯の信号が入力処理される。
【００７０】
第１の無線機能部１及び第２の無線機能部２は、ステップＳ２において、上記ｍ＝１、ｎ＝１を初期値としているので、３つの周波数グループの内、第１のグループが受信周波数として設定される（ステップＳ３）。次いで、それぞれ受信を開始し、第１の周波数帯域ＦＲ１、第２の周波数帯域ＦＲ２を受信処理する（ステップＳ１０１）。
【００７１】
第１の周波数帯（ＲＦ１）の第１の周波数グループ（ｍ＝１）の受信信号は、次いで、Ａ／Ｄ変換器６１からデジタル信号に変換されて出力される。同様に、第２の周波数帯（ＲＦ２）の第１の周波数グループ（ｍ＝１）の受信信号は、Ａ／Ｄ変換器６２からデジタル信号に変換されて出力される。
【００７２】
これらＡ／Ｄ変換器６１及びＡ／Ｄ変換器６２のディジタル出力は、多重器６３に入力される。多重器６３において、Ａ／Ｄ変換器６１及びＡ／Ｄ変換器６２のディジタル出力をスロットごとに交互に多重化して、多重化ＩＱ信号ＲｘＩ，ＲｘＱを１６×１６タップのマッチトフィルタ(Matched Filter)７に入力する。これによりＰＳＣ検出が開始される（ステップＳ１０３）。
【００７３】
ＰＳＣ検出において、多重器６３の出力がマッチトフィルタ７に入力され、予め登録されているＰＳＣ（Primary Search Code）との相関値がスロット周期でオーバサンプリング毎に算出される。
【００７４】
この様子が、図７に示される。１スロット０．６７ｍｓの周期のクロックＣＬＫ１に同期して１５スロット分の第１の周波数帯（ＲＦ１）及び第２の周波数帯（ＲＦ２）の受信信号ＲｘＩ（＝RxI0, RxI1, RxI2, RxI4,・・・RxI15）が得られる（図７Ａ，図７Ｂ）。
【００７５】
さらに、多重器６３において、第１の周波数帯（ＲＦ１）の受信信号ＲｘＩ（＝RxI0, RxI1, RxI2, RxI4,・・・RxI15）及び、第２の周波数帯（ＲＦ２）の受信信号ＲｘＩ（＝RxI0, RxI1, RxI2, RxI4,・・・RxI15）は、第１の周波数帯（ＲＦ１）及び第２の周波数帯（ＲＦ２）について交互に多重化され、その出力は、（ＲＦ１）RxI0, （ＲＦ２）RxI1, （ＲＦ１）RxI2, （ＲＦ２）RxI3, （ＲＦ１）RxI4・・・（図７Ｃ）のようになる。Ｑｃｈの受信信号についても同様である。
【００７６】
多重器６３の出力は、１６×１６タップのマッチトフィルタ(Matched Filter)７に入力され、予め登録されているＰＳＣ（Primary Search Code）との相関値がスロット周期でオーバサンプリング毎に算出される。
【００７７】
次いで、求められた相関値は回路８で対応する電力値または電圧値に変換される。図５に示す実施例においても回路８は電力値に変換するための電力化回路の例を示す。電力化回路８の出力は、ＲＡＭ１２にアドレス制御回路１３により所定アドレス位置にワード単位で格納される。ここで、相関電力値の信頼性を向上させるために所定のスロット分、実施例として６スロット分積分する。この積分を行うために、図５において、ＲＡＭ１２の出力が加算回路１１に帰還され、先のスロットと新たなスロットの電力値が積分され、ＲＡＭ１２に格納される。
【００７８】
図６の動作フローに戻ると、先にＲＡＭ１２に格納積分された相関電力は、ピークトップ検出回路１４に導かれる。ピークトップ検出回路１４では、第１の無線周波数帯１及び第２の無線周波数帯２のピークポイントを抽出してピーク相関電力値及び時刻を求め（ステップＳ７、Ｓ１３）、ＰＳＣ検出のハードウエア処理を停止する（ステップＳ８）。
【００７９】
ピークトップ検出回路１４は、更に先に得られたピーク相関電力値及び時刻に基づいて、第１の無線周波数帯１及び第２の無線周波数帯２のそれぞれに対してピークをソートして、ピークの大きい上位ピークを選出する（ステップＳ９、Ｓ１５）。
【００８０】
上記ステップＳ１０１〜Ｓ１５までの処理が完了すると、ｍ及びｎを各々１づつ歩進し（ステップＳ１７）、新たな周波数グループが受信周波数として設定される（ステップＳ３）。したがって、上記処理が３つ目の周波数グループ（ｍ＝３，ｎ＝３）になるまで繰り返される（ステップＳ１６）。
【００８１】
次いで、電力閾値の判定が行われる（ステップＳ１８）。電力閾値の判定は、第１及び第２の周波数帯のいずれにおいても、ステップＳ９、Ｓ１５において検知される全てのトップ値が、所定の閾値以下である場合（ステップＳ１８、Ｙｅｓ）、ｋの値を１つ歩進し、ｍ及びｎを１に戻し（ステップＳ１９）、上記ステップＳ３からＳ１５の処理を行うように制御される。
【００８２】
ステップＳ１８において閾値以上のピーク値が検知されている場合（ステップＳ１８、Ｎｏ）、周波数帯を決定するために閾値以上の各周波数帯のピーク相関電力値を比較する（ステップＳ２０）。これにより、ピーク相関電力値の大きいパスをエリア周波数帯として、その中心周波数を決定する（ステップＳ２１）。決定されたエリア周波数帯に対応して、アンテナスイッチ４を第１の無線機能部１又は、第２の無線機能部２に切替えを行い（ステップＳ２２）、移動体端末と該当の基地局との通信が可能となる。
【００８３】
特に上記第２の実施例では、多重既３を用い、第１及び第二の周波数帯の受信信号を多重化しているので、同時点での両方の周波数帯の電波状態をリアルタイムに短時間に検出できるという効果を有する。
【００８４】
［第３の実施例］
図８は、本発明に従う移動体端末の特徴部分を示す第３の実施例構成ブロック図である。図９は、図８の実施例に対応する動作フローである。
【００８５】
先に説明されたように、Ｗ−ＣＤＭＡ方式の無線通信システムにおいて２つの周波数帯域が使用される場合を想定する。これに対応して２つの無線機能部１，２を有している。この実施例においても、本発明はかかる２つの周波数帯域を用いる通信システムの場合に適用が限定されるものではない。
【００８６】
図２、図５に示す第１、第２の実施例構成と同一又は類似機能を有する部位には同じ参照番号を付している。したがって、その限りにおいて、図２、図５と同様になる説明は省略又は簡単化して説明を行う。
【００８７】
図８に示す実施例の特徴は、図２、図５の第１、第２の実施例と比較すると、図２の実施例と同様に一つのＡ／Ｄ変換器６を有し、更に図５の実施例と同様にＡ／Ｄ変換器６の後段に多重器６３を備えていることにある。
【００８８】
かかる構成の相違に対応して、図９に示す動作フローも異なっている。図９において、図３、図６に示す第１、第２の実施例の動作フローにおける処理と同様の工程については同じステップ番号を付して説明する。以下に第３の実施例の動作を説明する。
【００８９】
図８に示す実施例ではスイッチ制御部５によりアンテナスイッチ４を１スロット単位に切替えることを特徴とする。
【００９０】
ステップＳ１〜Ｓ３までの処理は図２の第１の実施例の処理と同様である。第３の実施例では、スイッチ制御部５によりアンテナスイッチ４を１スロット単位で切替え開始し（ステップＳ２００）、従って第１の無線機能部及び第２の無線機能部２には１スロット単位で交互に切替えられて受信信号が入力される（ステップＳ２０１）。
【００９１】
次いで、１スロット単位で交互に切替えられて受信信号を処理した第１の無線機能部及び第２の無線機能部２の出力は多重器６３において多重化される（ステップＳ１０２）。かかる多重化以降のステップＳ８までの処理は第２の実施例と同様である。
【００９２】
さらに、第１の無線機能部及び第２の無線機能部２に対する１スロット単位の交互の切り替えが停止され（ステップＳ２０３、Ｓ２０４）、その後ステップＳ９からＳ２２までの処理は再び第２の実施例と同様に行なわれる。
【００９３】
第３の実施例における上記ステップＳ２０１，２０２の処理の様子が、図１０に示される。１スロット０．６７ｍｓの周期のクロックＣＬＫ１に同期して、第１の周波数帯（ＲＦ１）及び第２の周波数帯（ＲＦ２）の受信信号が交互に得られる。すなわち、第１の周波数帯（ＲＦ１）の受信信号は、１スロット置きに存在し、ＲｘＩ（＝RxI0, RxI2, RxI4,・・・）が得られる。同様に第２の周波数帯（ＲＦ２）の受信信号も１スロット置きに存在し、ＲｘＩ（＝RxI1, RxI3, RxI5,・・・）が得られる。
【００９４】
したがって、多重器６３において、これら第１の周波数帯（ＲＦ１）の受信信号ＲｘＩ（＝RxI0, RxI2, RxI4,・・・）と第２の周波数帯（ＲＦ２）の受信信号ＲｘＩ（＝RxI1, RxI3, RxI5,・・・）が多重化され、その出力は、図５の第２の実施例における多重化された結果と同様に、（ＲＦ１）RxI0, （ＲＦ２）RxI1, （ＲＦ１）RxI2, （ＲＦ２）RxI3, （ＲＦ１）RxI4・・・のようになる。Ｑｃｈの受信信号についても同様である。
【００９５】
次に、上記の各実施例において、ピークトップ検出回路１４により、第１の無線周波数帯１及び第２の無線周波数帯２のそれぞれに対してピークをソートして、ピークの大きい上位パスを選出し（ステップＳ９、Ｓ１５）、更にステップＳ２０〜Ｓ２２においてエリア周波数対側を決定する際のエリア周波数の判定方法について以下に検討する。
【００９６】
上記第３の実施例では、第２の実施例と同様に、多重化によりその時点の電波状態を第１及び第２の周波数帯に対してリアルタイムに短時間に検出でき、かつ、ＰＳＣ検出時の無線機能部は第１の実施例と同様に１台の動作でよいという特徴を有する。
【００９７】
[エリア周波数の判定方法の実施例]
ここで、上記に説明したエリア周波数の判定の方法として、（i）単純に各周波数において検出された最大の相関値を比較して行う方法、（ii）マルチパスなどを考慮して各周波数において検出されたピーク相関値のトータル積算電力を比較し判定する方法、（iii）単純に各周波数において検出された最大の相関値を比較して行う方法に各周波数において検出されたピーク相関値のトータル強度を比較し判定する方法や、他にも（iv）閾値以上のピーク相関値の平均で比較する方法や（v）平均と分散を組み合わせて判定する方法などが実施可能である。
【００９８】
ここでは（i）〜（iii）の方法の具体的実施例を以下に説明する。
【００９９】
（i）の方法は単純に各周波数において検出された最大の相関値を比較して行う方法であり、その実施例動作フローを図１１に示す。第１の無線機能部１及び第２の無線機能部２のそれぞれ３つの周波数帯ｍ＝１，３，５とｍ＝２，４，６のピークを求め（ステップＳ３０）、ピークの大きさ順にソートする（ステップＳ３１）。次いで、各周波数のピークの最大値を比較する（ステップＳ３２）。
【０１００】
この比較によりＰＳＣ最大ピークが検出された周波数をエリア周波数と決定し、その中心周波数を該当の基地局との通信用周波数とする（ステップＳ３３）。
【０１０１】
（ii）の方法は、マルチパスなどを考慮して各周波数において検出されたピーク相関値のトータル積算電力を比較し判定する方法で、各周波数において一定以上の相関電力値を持つピークの電力値を積算し、その各周波数の積算値同士を比較し、１番積算電力値の高い周波数を中心周波数としエリア周波数と判定する方法である。
【０１０２】
すなわち、（ii）の方法の処理を示す図１２において、まず第１の無線機能部１及び第２の無線機能部２のそれぞれ３つの周波数帯ｍ＝１，３，５とｍ＝２，４，６のピークを求める（ステップＳ３０）。次いで、初期値をｍ=１として（ステップＳ３００）、各周波数のＰＳＣピーク検出値を判定する（ステップＳ３０１）。この際、判定されたＰＳＣピーク検出値が所定の閾値Ｙ以下であれば、ＰＳＣピーク検出値して削除する（ステップＳ３０２）。
【０１０３】
そして、閾値Ｙ以上のピーク相関電力積算値Ｅｍを所定閾値以上のピーク値を積算して求め（ステップＳ３０３）、これを保持する（ステップＳ３０４）。次いで、初期値ｍ＝１を歩進して（ステップＳ３０６）、上記処理を６つの周波数について、即ちｍ＝６と成るまで行う（ステップＳ３０５）。
【０１０４】
次いで、全ピーク相関電力積算値Ｅｍを比較し、Ｅ１〜Ｅ６の中で最大値を選択し（ステップＳ３０７）、選択された全ピーク相関電力積算値Ｅｍが最大値の周波数対をエリア周波数とし、その中心周波数を該当の基地局との通信用周波数と決定する（ステップＳ３０８）。する
（iii）の方法は、上記（i）と（ii）の方法を組み合わせた方法である。その処理フローが図１３に示される。（i）と（ii）の方法に対応する処理フロー（図１１、図１２）における処理と同じ処理は同じ参照記号を付している。
【０１０５】
この方法は、図１４に示す積算電力値（ステップＳ３０７参照）において閾値以上のピークが多数検出されたようなマルチパスや多セル環境のような場合と、図１５に示すように、１本だけ相関値の強いピークが検出される１セル環境の場合とを比較するときに利点がある。
【０１０６】
図１４に示すように閾値以上のピークが多数存在する周波数帯と、図１５のような１セル環境の周波数帯では、（ii）の方法では図１５の周波数帯は大きな相関値でも検出されない恐れがある。
【０１０７】
そこで図１５のような１セル環境でも判定できるように（i）の方法を用い、各周波数帯のTOPピークを比較し、第１の無線機能部１側で検出された相関値の最大ピークの一つが第２の無線機機能部２側の各最大ピーク相関値の２倍より大きい場合、またはその逆である場合、即ち第２の無線機能部２側で検出された相関値の最大ピークの一つが第１の無線機能部１側の各最大ピーク相関値の２倍より小さい場合（ステップＳ４０、Ｙｅｓ）、その最大ピークのある周波数を中心周波数とし、その周波数帯をエリア周波数と判定する（ステップＳ３３）。反対に、２倍未満の場合（ステップＳ４０、Ｎｏ）は、マルチパスや他セルの多い環境と判定し、（ii）の方法でエリア周波数の判定を行う（図１３、ステップＳ３００以降の処理）。
【０１０８】
［本発明の他の適用例］
上記実施例として、加入者増加によるシステム容量飽和等に対応する解決として、複数の周波数帯を用いる場合の無線通信システムについて説明した。しかし、複数の周波数を用いる無線通信システム（例えばＷ−ＣＤＭＡ方式の無線通信システム）であれば、複数の周波数帯を用いない場合にも適用することができる。
【０１０９】
すなわち、Ｗ−ＣＤＭＡ方式の無線通信システムでは、受信品質及び受信レベルが条件を満たすような受信環境の良いパイロットチャネル（ＣＰＩＣＨ）を送信する基地局を待受け対象の基地局として選択したり、移行先の基地局として選択する。
【０１１０】
ここで、ＣＰＩＣＨの逆拡散タイミングを直接取得することは難しいため、先に説明したようにいわゆる３段階セルサーチを行うこととなる。即ち、まず、第１段階として、同期チャネルとしてのＰ−ＳＣＨを所定の拡散コードを用いて逆拡散し、相関の得られたタイミングを検出することで、スロット同期をとり、次に、第２段階として、Ｓ−ＳＣＨを所定の拡散コードを用いて逆拡散することで、フレーム同期の確立、スクランブリングコードグループの特定を行い、ＣＰＩＣＨの逆拡散タイミングを取得する。そして、第３段階としてＣＰＩＣＨが得られた逆拡散タイミングで逆拡散を行い、受信品質、受信レベルを測定し、所定の条件を満たすＣＰＩＣＨを送信する基地局を待受け対象として選択したり、移行先セルとして選択する。
【０１１１】
ＣＤＭＡを用いる無線通信システムでは、符号により、チャネルの分離が行えるため、各基地局が全て同じ１つの周波数を利用することもできるが、１つの周波数に多重できる符号の数にも制限があるため、容量を増大させる場合には、制御チャネル（ＣＰＩＣＨ、Ｐ−ＳＣＨ、ＳＣＨ等）、通信チャネル（ＤＰＤＣＨ等）のセットを第１の周波数、第２の周波数のそれぞれで送信する。この場合、第１の周波数は、第２の周波数と同じ周波数帯に属する場合もあるし、分離された異なる周波数帯に属する場合もある。
【０１１２】
いずれにせよ、本実施例の変形例としては、このような場合に、まず、第１の周波数におけるＰ−ＳＣＨについての相関と、第２の周波数におけるＰ−ＳＣＨについての相関を算出する。即ち、第１の周波数、第２の周波数のいずれについても３段階セルサーチの第１段階を行い、第２段階には進まないこととする。
【０１１３】
そして、ここで、平均して相関が高い側の周波数等といった、Ｐ−ＳＣＨの相関が総じて良好と思われる側の周波数を特定する。そして、特定した方について、先に第２、第３段階に進み、他方については、第２、第３段階には進まないこととする。そして、第３段階に進んだ側の周波数について得られたＣＰＩＣＨの受信状況が基準を満たす場合には、その周波数内で最良のＣＰＩＣＨを送信する基地局（周波数）を選択して待受け等を行う。他方の周波数については、特定した周波数について基準を満たすＣＰＩＣＨが検出できない場合に行うとよい。
【０１１４】
尚、この例では、Ｐ−ＳＣＨの相関が総じて良好と思われる側の周波数を特定したが、双方の周波数のうち、Ｐ−ＳＣＨの相関が高い順に所定数選択し、その選択したものに対して、３段階セルサーチの、３段階まで進め、他のものは、１段階までで中断することもできる。
【０１１５】
更に、この例では、Ｐ−ＳＣＨの相関で先に３段階セルサーチに進む対象のものの抽選を行っているが、例えば、第１の周波数、第２の周波数の双方についてＳ−ＳＣＨの相関までは第１の周波数、第２の周波数の順に求め、その相関に基づいて、先に第３段階のセルサーチに進める対象のものを決めることもできる。
【０１１６】
（付記１）
複数の周波数帯を持つＷ−ＣＤＭＡ方式の無線通信システムで使用される移動体端末であって、
前記複数の周波数帯に対応する複数の無線機能部と、
前複数の無線機能部のそれぞれで受信される信号と、前記複数の周波数帯の各々の同期チャンネルの主サーチコードとの相関値を求める回路と、
前記相関値を求める回路の出力を積分する積分回路と、
前記積分回路の出力におけるピーク値を検知し、前記複数の周波数帯間で、前記検知されたピーク値を比較するピーク値検知回路とを有し、
前記ピーク値検知回路において、検知ピーク値の最も大きい周波数を中心周波数として、当該周波数帯をエリア周波数帯とする
ことを特徴とする移動体端末。
【０１１７】
（付記２）付記１において、
前記複数の無線機能部の出力を複数のスロットを有するフレーム毎に切替えて前記相関値を求める回路に入力することを特徴とする移動体端末。
【０１１８】
（付記３）付記１において、
更に多重器を有し、
前記複数の無線機能部の出力を前記多重器に入力し、複数のスロットを有するフレームのスロット毎に、前記複数の無線機能部の出力を交互に選択多重することを特徴とする移動体端末。
【０１１９】
（付記４）付記１において、
更に多重器を有し、
前記複数の無線機能部の出力を複数のスロットを有するフレームのスロット毎に交互に選択して、前記多重器に入力し、前記複数の無線機能部の出力を交互に多重することを特徴とする移動体端末。
【０１２０】
（付記５）
複数の周波数帯を持つＷ−ＣＤＭＡ方式の無線通信システムで使用される移動体端末であって、
前記複数の周波数帯に対応する複数の無線機能部と、
前記複数の無線機能部を順次に切替えて対応する周波数帯域のＩＱ直交信号を出力する様に切替えるスイッチと
同期チャンネルの主サーチコードと前記ＩＱ直交信号との相関電力値をスロット周期でオーバサンプリング毎に算出するマッチトフィルタと、
所定の積分時間で前記算出された相関電力値を積分する積分回路と、
前記積分回路の出力について、ピークポイントを抽出してソーティング処理を行い、相  関電力値の上位パス検出を行う手段と、
前記検出された上位パスについて、先に保持されたピーク相関電力値を比較してエリア周波数を決定する手段を
有することを特徴とする移動体端末。
【０１２１】
（付記６）
複数の周波数帯を持つＷ−ＣＤＭＡ方式の無線通信システムで使用される移動体端末であって、
前記複数の周波数帯に対応し、それぞれ対応する周波数帯の入力される信号から直交信号を出力する複数の無線機能部と、
前記複数の周波数帯に対応して前記複数の無線機能部を切替えるスイッチと、
前記複数の無線機能部からの直交信号をデジタルＩＱ信号に変換するＡ／Ｄ変換器と、
前記Ａ／Ｄ変換器からのデジタルＩＱ信号を交互に時分割多重する多重器と、
前記多重器の出力と主サーチコードとの相関電力を複数のスロットを有するフレームのスロット周期でオーバサンプリング毎に算出するマッチトフィルタと、
前記マッチトフィルタ出力をＩＱ信号毎に積分して相関電力値を出力する電力化回路と、
前記電力化回路の出力について、ピークポイントを抽出してソーティング処理を行い、相関電力値の上位パス検出を行う回路と、
前記検出された上位パスについて、メモリに格納されたピーク相関電力値を比較してエリア周波数を決定する手段を
有することを特徴とする移動体端末。
【０１２２】
（付記７）
拡散符号により拡散されたパイロット信号のうち、受信状況が基準を満たすパイロット信号の検出を行う際に、少なくとも拡散符号で拡散された複数種類の同期信号との相関を順に検出することで該パイロット信号を逆拡散するタイミングを取得することが要求される移動局において、
前記パイロット信号と該パイロット信号に対応する前記複数種類の同期信号の組が、第１周波数、第２周波数のそれぞれで送信されている場合に、
該第１周波数における前記複数種類の同期信号の何れかの同期信号についての相関と、該第２周波数における対応する同期信号についての相関とを検出する検出手段と、
高い相関の得られている側の周波数又は該第１周波数、該第２周波数を含めた同期信号のうち相関の高いものを抽出し、該相関の高い同期信号について先に前記タイミングを取得して、パイロット疎信号の逆拡散を行い、基準を満たす場合に、該パイロット信号に対応する待ち受けセル又は移行先セルとして選択する選択手段を
備えたことを特徴とする移動局。
【産業上の利用可能性】
【０１２３】
本発明により、Ｗ−ＣＤＭＡ方式の無線通信システムにおいて使用される２つ以上の周波数帯に対応して、電源投入時に何れの周波数が存在するかの圏内判定を短時間に行うことができ、且つ事前にエリア周波数を知ることにより確実に強電界のセルに位置登録を可能とする。よって、Ｗ−ＣＤＭＡ方式の無線通信システムに対する効率よい移動体端末の提供が可能である。
【図面の簡単な説明】
【０１２４】
【図１】セルサーチのため基地局から送信されるフレームの構成を示す図である。
【図２】本発明に従う移動体端末の特徴部分を示す第１の実施例構成ブロック図である。
【図３】図２の実施例に対応する動作フローである。
【図４】図３のステップＳ６及びステップＳ１２を説明する図である。
【図５】本発明に従う移動体端末の特徴部分を示す第２の実施例構成ブロック図である  。
【図６】図５の実施例に対応する動作フローである。
【図７】図５の実施例における多重器６３の処理を説明する図である。
【図８】本発明に従う移動体端末の特徴部分を示す第３の実施例構成ブロック図である    。
【図９】図８の実施例に対応する動作フローである。
【図１０】図８の実施例における多重器６３の処理を説明する図である。
【図１１】エリア周波数の判定方法の（i）の方法を説明するフロー図である。
【図１２】エリア周波数の判定方法の（ii）の方法を説明するフロー図である。
【図１３】エリア周波数の判定方法の（iii）の方法を説明するフロー図である。
【図１４】積算電力値（ステップＳ３０７参照）において閾値以上のピークが多数検出されたようなマルチパスや多セル環境を説明する図である。
【図１５】積算電力値において１本だけ相関値の強いピークが検出される１セル環境を説明する図である。
【符号の説明】
【０１２５】
１  第１の無線機能部
２  第２の無線機能部
３  アンテナ
４  アンテナスイッチ
５  スイッチ制御部
６、６１，６２  Ａ／Ｄ変換器
６３  多重器
７  マッチトフィルタ
８  電力化回路
９  ＡＧＣテーブル
１０  乗算器
１１  加算器
１２  ＲＡＭ
１３  アドレス制御回路
１４  ピークトップ検出回路
【図１】
2005244763.tif 000007
【図２】
2005244763.tif 000008
【図３】
2005244763.tif 000009
【図４】
2005244763.tif 000010
【図５】
2005244763.tif 000011
【図６】
2005244763.tif 000012
【図７】
2005244763.tif 000013
【図８】
2005244763.tif 000014
【図９】
2005244763.tif 000015
【図１０】
2005244763.tif 000016
【図１１】
2005244763.tif 000017
【図１２】
2005244763.tif 000018
【図１３】
2005244763.tif 000019
【図１４】
2005244763.tif 000020
【図１５】
2005244763.tif 000021